(57)【要約】【課題】  水タンク収容バッグの数が嵩張るような場合に、一つの水タンク収容バッグ内に他の水タンク収容バッグを収容することができるように、水タンク収容バッグを扁平に折り畳み可能に形成させて、できるだけ多くの水タンク収容バッグを整然と収容できるようにした水タンク収容バッグの提供。【解決手段】  水タンク４が自在に変形可能な柔軟フイルムによって形成されたフイルムタンクに形成されている飲料用給水機に用いられる水タンク収容バッグ５であって、自在に変形可能な柔軟な防水性シートによって矩形ボックス状に形成されると共に、対向する壁体５０，５０同士が近接離反することで扁平状に折り畳み可能に形成されている。【選択図】  図４
2006115866.tif 000002
【特許請求の範囲】
【請求項１】
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成され、
前記水タンクが自在に変形可能な柔軟フイルムによって形成されたフイルムタンクに形成されている飲料用給水機に用いられる水タンク収容バッグであって、
自在に変形可能な柔軟な防水性シートによって矩形ボックス状に形成されると共に、対向する壁体同士が近接離反することで扁平状に折り畳み可能に形成されていることを特徴とした水タンク収容バッグ。
【請求項２】
請求項１記載の水タンク収容バッグにおいて、少なくとも前記した対向する壁体の内部に剛性を有する補強板が装着されて、該対向する壁体が平担状態を保持するように補強されている水タンク収容バッグ。
【発明の詳細な説明】
【技術分野】
【０００１】
本発明は、一般家庭や各種のイベント会場、料飲店、会社等に設置され、温水及び／又は冷水を取り出すことができる飲料用給水機に用いられる水タンク収容バッグに関する。
【背景技術】
【０００２】
従来、飲料用給水機として、飲料水を収容した水タンクに着脱可能に接続させる吸水口が形成された吸水流路と、この吸水流路に設けたポンプによって水タンクから吸水させた飲料水を冷却タンクで冷却して冷水吐出口から取り出す冷水流路及び／又は前記飲料水を温水タンクで加熱して温水吐出口から取り出す温水流路とが形成されたものが知られている。
【０００３】
このような飲料用給水機では、飲料水を水タンクに収容して、その水タンクを水タンク収容バッグに収容した状態で、水供給会社から飲料用給水機の使用者に配達される。
【０００４】
従来の水タンク収容バッグとして、自在に変形可能な柔軟フイルムによって形成されたフイルムタンクに形成されているものが知られている（特許文献１参照）。
【０００５】
そして、使用者は、この水タンクを飲料用給水機の吸水流路に接続して飲料水を飲用使用し、水タンクが空になると、空になった水タンクを水タンク収容バッグに入れて水供給会社に返却するようになっている。
【０００６】
水タンクの消費が多いような場合、使い終わった水タンク収容バッグを個々に溜め置くようにすると、次第に数が嵩張り、その置き場所にスペースを取られるし、返却時の取り扱いにも不便であるという問題が生じる。
【特許文献１】ＰＣＴ／ＪＰ０３／０６０２９
【発明の開示】
【発明が解決しようとする課題】
【０００７】
本発明は、水タンク収容バッグの数が嵩張るような場合に、一つの水タンク収容バッグ内に他の水タンク収容バッグを収容することができるように、水タンク収容バッグを扁平に折り畳み可能に形成させて、できるだけ多くの水タンク収容バッグを整然と収容できるようにした水タンク収容バッグを提供することを課題としている。
【０００８】
なお、従来の水タンク収容バッグにおいても、一つの水タンク収容バッグ内に他の水タンク収容バッグを収容することはできるが、従来では、水タンク収容バッグを扁平に折り畳むことを意図していないため、収容状態が雑然となり、収容した水タンク収容バッグが傷付くことがなるし、その収容個数が少なくなるという問題がある。
【課題を解決するための手段】
【０００９】
上記の課題を解決するために、本発明（請求項１）の水タンク収容バッグは、
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成され、
前記水タンクが自在に変形可能な柔軟フイルムによって形成されたフイルムタンクに形成されている飲料用給水機に用いられる水タンク収容バッグであって、
自在に変形可能な柔軟な防水性シート（防水性布、防水性樹脂シートを含む）によって矩形ボックス状に形成されると共に、対向する壁体同士が近接離反することで扁平状に折り畳み可能に形成されている構成とした。
【００１０】
前記請求項１記載の水タンク収容バッグにおいて、少なくとも前記した対向する壁体（扁平状折り畳み時に近接する壁体）の内部に剛性を有する補強板が装着されて、該対向する壁体が平担状態を保持するように補強されている態様（請求項２）がある。
【発明の効果】
【００１１】
本発明の水タンク収容バッグ（請求項１）は、扁平状に折り畳み可能に形成されているため、水タンク収容バッグの数が嵩張るような場合に、一つの水タンク収容バッグ内に他の水タンク収容バッグを扁平状に折り畳んで収容することができる。
これにより、水タンク収容バッグを整然と収容することができ、収容した水タンク収容バッグを傷付けるといったことを防止できるし、多くの水タンク収容バッグを収容でき、その置き場所にスペースを取られることがないし、返却時の取り扱いや持ち運びに便利である。
【００１２】
又、対向する壁体（扁平状折り畳み時に近接する壁体）を補強板によって平担状態を保持するように補強させると（請求項２）、扁平状に折り畳む作業が容易になるし、平担な扁平状に折り畳むことができ、水タンク収容バッグに対する出し入れ作業が容易になる。
【発明を実施するための最良の形態】
【００１３】
以下、本発明の実施の形態を図面に示す実施例より説明する。
図１は本発明の実施例に係る飲料用給水機の模式図、図２はこの飲料用給水機に用いられる水タンク収容バッグの斜視図、図３は水タンク収容バッグを扁平状に折り畳んだ状態の斜視図、図４は一つの水タンク収容バッグ内に他の水タンク収容バッグを扁平状に折り畳んで収容した状態の斜視図である。
【００１４】
先ず、飲料用給水機の構成を説明する。
この飲料用給水機は、吸水流路１と、冷水流路２と、温水流路３を備えている。
【００１５】
前記吸水流路１は、飲料水を収容した水タンク４の筒状口部４０に着脱可能に接続させる接続管１０が吸水管１１の基端に設けられ、この吸水管１１の先端に形成した分岐管１２，１２が貯水タンク１３及び冷水流路２の冷水タンク２０の内部に挿入するように配管されている。
前記吸水管１１の途中には、ポンプ１４が取り付けられ、前記接続管１０を水タンク４の筒状口部４０に接続させた状態で、このポンプ１４を作動させることで、水タンク４内の飲料水を貯水タンク１３及び冷水タンク２０に導水するようになっている。
【００１６】
前記ポンプ１４は間欠送水ポンプに形成されている。
この間欠送水ポンプは、吸水管１１の途中に形成した蛇腹状の拡縮室１４ａを往復駆動部１４ｂにより拡大縮小させ、この拡大縮小動作に対応して、入口側と出口側に設けた開閉弁（図示省略）を交互に開閉させて、水タンク４からの水を間欠的に送水するようになっている。
このように、間欠送水ポンプを用いると、貯水タンク１３及び冷水タンク２０に飲料水を間欠的に送水することができるため、水の勢いによって飲料水を十分に攪拌させることができ、タンク内にミネラル分が付着したり、堆積したりするのを防止して、衛生的に使用することができる。
なお、ポンプとしては、間欠送水ポンプに限らず、モータ駆動で回転するインペラ等を備えた従来周知のポンプを使用できる。
【００１７】
前記冷水流路２は、冷水タンク２０の底部から冷水管２１が延長配管され、この冷水管２１の先端に冷水吐出口２２が形成された構造になっている。
【００１８】
前記冷水タンク２０は、前記吸水流路１によって導水した飲料水を収容して冷却させるためのもので、外周下側に冷凍サイクル（図示省略）の蒸発管２０ａが巻き付けられ、この蒸発管２０ａによって冷却された冷水が水圧により冷水管２１を通して冷水吐出口２２から取り出せるようになっている。
【００１９】
前記貯水タンク１３は、前記吸水流路１によって導水した飲料水を収容させるためのもので、水位が一定レベル以下になると、これを水位センサ１３ａが感知して前記ポンプ１４を作動させ、タンク内水位を所定の水位に保持させるようになっている。
【００２０】
前記温水流路３は、前記貯水タンク１３の底部から延長した第１送水管３０が温水タンク３１の底部に接続されると共に、前記冷水タンク２０の底部から延長した第２送水管３２が第１送水管３０の途中に接続され、この第１送水管３０及び第２送水管３２によって貯水タンク１３及び冷水タンク２０の飲料水を温水タンク３１に導水するようになっている。
また、前記温水タンク３１の上部から温水管３３が延長配管され、この温水管３３の先端に温水吐出口３４が形成された構造になっている。
又、温水タンク３１の上部から前記貯水タンク１３の上部に蒸気管３５が延長配管されている。
【００２１】
前記第１送水管３０の途中にはドレン管３６が分岐配管され、このドレン管３６に設けたドレンコック３７の閉鎖状態では、上記のように、貯水タンク１３及び冷水タンク２０の飲料水を第１送水管３０及び第２送水管３２によって温水タンク３１に導水することができる。
他方、ドレンコック３７の開放状態では、貯水タンク１３及び冷水タンク２０及び温水タンク３１及び各配管内の飲料水を第１送水管３０及び第２送水管３２及びドレン管３６によって外部に排水することができるようになっている。
【００２２】
前記温水タンク３１は、収容した飲料水を加熱して温水を得るためのもので、外周下側にバンドヒータ３１ａが巻き付けられ、このバンドヒータ３１ａによって加熱された温水が、水圧により温水管３３を通して温水吐出口３４から取り出せるようになっている。
又、この温水タンク３１は、その外周が保温空間３８を介して保温カバー３９により覆われている。
【００２３】
なお、前記貯水タンク１３及び冷水タンク２０には、冷却水の増減に応じて吸気又は排気させる吸気弁９０及び排気弁９１が取り付けられている。
吸気弁９０及び排気弁９１は、貯水タンク１３及び冷水タンク２０に直接に取り付けられ、吸気弁９０は、冷却水が減少すると開放して、タンク内部に空気を吸入させ、排気弁９１は、冷却水が増加すると開放して、タンク内部の空気を排出させるようになっている。
【００２４】
図示省略したが、前記貯水タンク１３及び冷水タンク２０及び温水タンク３１の内部には、布や網等に包んだ状態の抗菌セラミックボールが収容されている。
又、前記冷水吐出口２２及び温水吐出口３４の内部、各配管の途中、ポンプ１４の内部にも抗菌セラミックボールが収容されている。
又、前記吸気弁９０及び排気弁９１の内部には、抗菌フイルタが収容されている。
このように、各部に抗菌セラミックボールや抗菌フイルタを設けるようにすると、雑菌の繁殖を抑えて、衛生面を向上できる。
【００２５】
前記水タンク４は、自在に変形可能な柔軟フイルムによって形成されたフイルムタンクに形成されている。
水タンク４（フイルムタンク）の素材としては、柔軟フイルム（ポリプロピレンフイルムやポリエチレンラミネートフイルム等）が用いられ、又、人体に害（例えば、環境ホルモンの溶出や臭気）を及ぼすことがないような素材を用いる。
なお、この水タンク４には、予め、飲料水（ミネラル水）が密封状態で収容されている。
【００２６】
前記水タンク４は、水タンク収容バッグ５に収容した状態で、水供給会社から飲料用給水機の使用者に配達され、使用者は、水タンク収容バッグ５に収容したままの水タンク４を飲料用給水機の吸水流路１に接続して飲料水を飲用使用し、水タンク４が空になると、空になった水タンク４を水タンク収容バッグ５に入れて水供給会社に返却するようになっている。
【００２７】
本実施例の飲料用給水機では、通常の使用に際しては、吸水管１１（吸水流路１）の接続管１０を水タンク４の筒状口部４０に接続させておく。
この状態では、水タンク４から吸水流路１を通して貯水タンク１３及び冷水タンク２０に飲料水が送水され、冷水タンク２０内で冷却された冷水を、冷水管２１を通して冷水吐出口２２から取り出すことができる。
又、冷水タンク２０及び貯水タンク１３から飲料水が第１送水管３０及び第２送水管３２を通して温水タンク３１に流入し、ここで加熱された温水を温水管３３を通して温水吐出口３４から取り出すことができる。
【００２８】
次に、水タンク収容バック５について説明する。
水タンク収容バック５は、自在に変形可能な柔軟な防水性シートによって矩形ボックス状に形成されている。
水タンク収容バック５の素材としては、防水性布や防水性樹脂シートを用いることができる。
なお、図中５９は肩掛けベルトである。
【００２９】
実施例の水タンク収容バック５は、四方の立壁体５０，５０、５１，５１によって胴部５ａが形成されると共に、胴部５ａの底部に底壁５２が連設され、胴部５ａを形成する立壁体５０，５０、５１，５１のうちの一つの立壁体５０の上端に蓋壁５３が連設されて、胴部５ａの上端三方が開放した矩形ボックス状に形成されている。
胴部５ａの開口縁及び蓋壁５３の周縁には、ファスナ６が取り付けられ、このファスナ６によって蓋壁５３が開閉するようになっている。
【００３０】
そして、水タンク収容バック５は、胴部５ａを形成する立壁体５０，５０、５１，５１のうち、対向する立壁体５０，５０同士が近接離反することで扁平状に折り畳み可能に形成されており、対向する立壁体５０，５０同士を近接させることで図３のように扁平状に折り畳むことができ、一方、対向する立壁体５０，５０同士を離反させることで図２のように矩形ボックス状に広げることができる。
なお、扁平状に折り畳んだ状態では、胴部５ａを形成する立壁体５０，５０、５１，５１のうち、前記立壁体５０，５０以外の立壁体５１，５１は、その幅方向中央において内向きに折り畳まれ、底壁５２についても中央において内向きに折り畳まれる。
【００３１】
また、前記対向した立壁体５０，５０の内部に剛性を有する補強板５０ａ，５０ａが装着されて、該対向する立壁体５０，５０が平担状態を保持するように補強されている。
又、実施例では、前記立壁体５０，５０以外の立壁体５１，５１にも幅方向中央に間隔Ｓを保持させて２枚の補強板５１ａ，５１ａが装着され、前記蓋壁５３にも補強板５３ａが装着されている。
又、図示省略したが、底壁５２にも補強板が装着されており、この場合にも、前記立壁体５１，５１と同様に、中央に間隔を保持させて２枚の補強板を装着させている。
【００３２】
このように、立壁体５１，５１及び底壁５２に補強板を装着させる場合に、中央に間隔Ｓを保持させるのは、水タンク収容バック５を扁平状に折り畳む際に、立壁体５１，５１及び底壁５２を幅方向中央において内向きに折り畳むことができるようにするためである。
又、蓋壁５３及び底壁５２に補強板を装着させると、水タンク収容バック５の座りが良好になるし、積み重ねが可能になる。
【００３３】
前記剛性を有する補強板としては、ベニヤ板（コンパネ）、プラスチック板等を用いることができる。
【００３４】
このように、水タンク収容バッグ５は、扁平状に折り畳み可能に形成されているため、水タンク収容バッグ５の数が嵩張るような場合に、図４に示すように、一つの水タンク収容バッグ５内に他の水タンク収容バッグ５を扁平状に折り畳んで収容することができる。
これにより、水タンク収容バッグ５を整然と収容することができ、収容した水タンク収容バッグ５を傷付けるといったことを防止できるし、多くの水タンク収容バッグ５を収容でき、その置き場所にスペースを取られることがないし、返却時の取り扱いや持ち運びに便利である。
【００３５】
又、対向する立壁体５０，５０を補強板５０ａ，５０ａによって平担状態を保持するように補強させているため、立壁体５０，５０が屈曲するといったことがなく、扁平状に折り畳む作業が容易になるし、平担な扁平状に折り畳むことができ、水タンク収容バッグ５に対する出し入れ作業が容易になる。
【００３６】
なお、本発明において、飲料用給水機としては、前記図１で示した飲料用給水機における貯水タンク１３を省略し、これに伴ない、冷水タンク２０内の上部から温水タンク３１の底部に延長して送水管を配管させるようにした構造の飲料用給水機に形成してもよい。
又、吸水流路と冷水流路を備えた冷水専用の飲料用給水機に形成してもよいし、吸水流路と温水流路を備えた温水専用の飲料用給水機に形成してもよい。
【００３７】
又、水タンク収容バッグについても、蓋壁だけでなく、底壁についてもファスナによって開閉可能に形成してもよいし、又、蓋壁と底壁を対向する壁体とし、この蓋壁と底壁を近接離反することで扁平状に折り畳み可能に形成させることができる。
又、水タンク収容バッグに取っ手や書類収容ポケット等を設けることは、適宜にできる。
【図面の簡単な説明】
【００３８】
【図１】本発明の実施例に係る飲料用給水機の模式図である。
【図２】この飲料用給水機に用いられる水タンク収容バッグの斜視図である。
【図３】水タンク収容バッグを扁平状に折り畳んだ状態の斜視図である。
【図４】一つの水タンク収容バッグ内に他の水タンク収容バッグを扁平状に折り畳んで収容した状態の斜視図である。
【符号の説明】
【００３９】
１  吸水流路
１０  吸水口
１１  吸水管
１２  分岐管
１３  貯水タンク
１３ａ  水位センサ
１４  ポンプ
１４ａ  拡縮室
１４ｂ  往復駆動部
２  冷水流路
２０  冷水タンク
２０ａ  蒸発管
２１  冷水管
２２  冷水吐出口
３  温水流路
３０  第１送水管
３１  温水タンク
３１ａ  バンドヒータ
３２  第２送水管
３３  温水管
３４  温水吐出口
３５  蒸気管
３６  ドレン管
３７  ドレンコック
３８  保温空間
３９  保温カバー
４  水タンク
４０  筒状口部
５  水タンク収容バック
５０  立壁体
５０ａ  補強板
５１  立壁体
５１ａ  補強板
５ａ  胴部
５２  底壁
５３  蓋壁
５３ａ  補強板
５９  肩掛けベルト
Ｓ  間隔
６  ファスナ
９０  吸気弁
９１  排気弁
【図１】
2006115866.tif 000003
【図２】
2006115866.tif 000004
【図３】
2006115866.tif 000005
【図４】
2006115866.tif 000006